(57)【特許請求の範囲】
【請求項１】
ステーに、太陽電池パネルを移動可能に支持し、
前記ステーに、電動ブラインドのヘッドボックスの側辺を外側及び内側から挟み込んで掛止め可能な掛止部を備え、
前記ステーは、前記掛止部を介して前記ヘッドボックスにその長手方向へスライド可能に支持されることを特徴とする電動ブラインドの太陽電池パネル取付装置。
【請求項２】
前記太陽電池パネルのケースを前記ステーに上下動可能に支持したことを特徴とする請求項１記載の電動ブラインドの太陽電池パネル取付装置。
【請求項３】
前記ステーと前記ケースとに、該ケースを段階的に上下動させる凹凸部を設けたことを特徴とする請求項２記載の電動ブラインドの太陽電池パネル取付装置。
【請求項４】
前記凹凸部は、
前記ステーの両側縁に設けた多数の窪みと、
前記ケースに設けられ、前記窪みに係合する凸部と
を備えたことを特徴とする請求項３記載の電動ブラインドの太陽電池パネル取付装置。
【請求項５】
前記ステーに、接続コードを収容する収容溝を備えたことを特徴とする請求項１乃至４のいずれか１項に記載の電動ブラインドの太陽電池パネル取付装置。
【請求項６】
前記ステーに、ビスを挿通可能とした取付孔を備えたことを特徴とする請求項１乃至５のいずれか１項に記載の電動ブラインドの太陽電池パネル取付装置。
【請求項７】
前記ステーに、太陽電池パネルを回動可能に支持したことを特徴とする請求項１乃至６のいずれか１項に記載の電動ブラインドの太陽電池パネル取付装置。
【請求項８】
前記太陽電池パネルのケースを、前記ステーに着脱可能に支持したことを特徴とする請求項１記載の電動ブラインドの太陽電池パネル取付装置。
【請求項９】
前記ケースに支持部材を設け、前記ステーに前記支持部材を上下方向に位置調節可能に保持する保持部を設けたことを特徴とする請求項８記載の電動ブラインドの太陽電池パネル取付装置。
【請求項１０】
前記支持部材を前記保持部にマグネットで吸着したことを特徴とする請求項９記載の電動ブラインドの太陽電池パネル取付装置。
【請求項１１】
電動ブラインドの支持部に遮蔽材とは別に吊下げコードを備え、前記支持部に対し前記吊下げコードを介して昇降可能に太陽電池パネルを吊下支持したことを特徴とする電動ブラインドの太陽電池パネル取付装置。
【請求項１２】
前記太陽電池パネルの自重降下を防止するストッパー装置を前記支持部に備えたことを特徴とする請求項１１記載の電動ブラインドの太陽電池パネル取付装置。
【請求項１３】
前記吊下げコードの吊下げ位置を前記支持部に沿って移動可能としたことを特徴とする請求項１１又は１２記載の電動ブラインドの太陽電池パネル取付装置。
【請求項１４】
前記吊下げコードを巻き取る巻取りパイプを前記支持部に備えたことを特徴とする請求項１１記載の電動ブラインドの太陽電池パネル取付装置。
【請求項１５】
前記太陽電池パネルをウェイトバーで押し上げて、前記吊下げコードを前記巻取りパイプに巻取り可能としたことを特徴とする請求項１４記載の電動ブラインドの太陽電池パネル取付装置。
【請求項１６】
前記巻取りパイプを遮蔽材の昇降に連動して回転させて、前記太陽電池パネルを前記遮蔽材の昇降に連動して昇降させたことを特徴とする請求項１４記載の電動ブラインドの太陽電池パネル取付装置。
【発明の詳細な説明】
【技術分野】
【０００１】
この発明は、太陽電池で充電する充電池を電源として動作する電動ブラインドに関するものである。
【背景技術】
【０００２】
従来、バッテリーを電源として動作し、かつリモコン装置でスラットの角度調節動作を制御する電動ブラインドは、リモコン受信部と、スラット角度調節用のモーターと、受光信号に基づいてモーターを制御するマイコン等の電源として乾電池等のバッテリーとを備えたものがある。【０００３】
このような電動ブラインドは、商用電源の配線が困難な場所に設置されることが多いことから、バッテリーが消耗した場合の交換作業も煩雑となることが多い。
そこで、バッテリーの交換を不要とするために、太陽電池を使用して充電可能とした充電池を電源とする電動ブラインドが提案されている（特許文献１，２参照）。
【先行技術文献】
【特許文献】
【０００４】
【特許文献１】実公平４−３１９９５号
【特許文献２】特許第３２５６１２９号
【発明の概要】
【発明が解決しようとする課題】
【０００５】
上記のような電動ブラインドでは、太陽電池が窓ガラスやヘッドボックスに固定された状態で設置される。従って、太陽電池の設置位置が太陽光を効率よく受光するための最適な位置とはならない場合がある。【０００６】
また、電動ブラインドの設置後に、太陽電池の設置位置を変更するには、電動ブラインドの設置をやり直す等の煩雑な作業を要する。
この発明の目的は、太陽電池の設置位置を容易に変更して安定した発電性能を確保し得る電動ブラインドの太陽電池パネル取付装置を提供することにある。
【課題を解決するための手段】
【０００７】
上記の目的を達成するため、本発明の第１の態様では、ステーに、太陽電池パネルを移動可能に支持し、前記ステーに、電動ブラインドのヘッドボックスの側辺を外側及び内側から挟み込んで掛止め可能な掛止部を備え、前記ステーは、前記掛止部を介して前記ヘッドボックスにその長手方向へスライド可能に支持される電動ブラインドの太陽電池パネル取付装置が提供される。
【０００８】
本発明によれば、太陽電池の設置位置を容易に変更して安定した発電性能を確保し得る電動ブラインドの太陽電池パネル取付装置を提供することができる。
前記太陽電池パネルのケースを前記ステーに上下動可能に支持してもよい。
【０００９】
前記ステーと前記ケースとに、該ケースを段階的に上下動させる凹凸部を設けてもよい。この場合、前記凹凸部は、前記ステーの両側縁に設けた多数の窪みと、前記ケースに設けられ、前記窪みに係合する凸部と、を備えたものとすることができる。
【００１０】
前記ステーに、接続コードを収容する収容溝を備えてもよい。
前記ステーに、ビスを挿通可能とした取付孔を備えてもよい。
前記ステーに、太陽電池パネルを回動可能に支持した電動ブラインドの太陽電池パネル取付装置が提供される。
【００１１】
前記太陽電池パネルのケースを、前記ステーに着脱可能に支持してもよい。
上記第１の態様において、前記ケースに支持部材を設け、前記ステーに前記支持部材を上下方向に位置調節可能に保持する保持部を設けてもよい。この場合、前記支持部材を前記保持部にマグネットで吸着するようにしてもよい。
【００１２】
本発明の第２の態様では、電動ブラインドの支持部に遮蔽材とは別に吊下げコードを備え、前記支持部に対し吊下げコードを介して昇降可能に太陽電池パネルを吊下支持した電動ブラインドの太陽電池パネル取付装置が提供される。
【００１３】
上記第２の態様において、前記太陽電池パネルの自重降下を防止するストッパー装置を前記支持部に備えてもよい。
また、前記吊下げコードの吊下げ位置を前記支持部に沿って移動可能としてもよい。
【００１４】
或いは、前記吊下げコードを巻き取る巻取りパイプを前記支持部に備えてもよい。この場合、前記太陽電池パネルをウェイトバーで押し上げて、前記吊下げコードを前記巻取りパイプに巻取り可能とすることができる。また、前記巻取りパイプを遮蔽材の昇降に連動して回転させて、前記太陽電池パネルを前記遮蔽材の昇降に連動して昇降させるようにしてもよい。
【図面の簡単な説明】
【００１５】
【図１】第一の実施形態の横型ブラインドを示す斜視図である。
【図２】第一の実施形態の横型ブラインドを示す側面図である。
【図３】第一の実施形態の横型ブラインドの背面を示す斜視図である。
【図４】第一の実施形態の太陽電池パネル取付装置を示す斜視図である。
【図５】第一の実施形態の太陽電池パネル取付装置を示す背面図である。
【図６】第一の実施形態の太陽電池パネル取付装置の動作を示す斜視図である。
【図７】第一の実施形態の太陽電池パネル取付装置の動作を示す斜視図である。
【図８】第二の実施形態の太陽電池パネル取付装置を示す正面図である。
【図９】第二の実施形態の太陽電池パネル取付装置を示す側面図である。
【図１０】第二の実施形態の太陽電池パネルケースを示す斜視図である。
【図１１】第二の実施形態の太陽電池パネルケースを示す斜視図である。
【図１２】第二の実施形態のステーを示す正面図である。
【図１３】第二の実施形態の太陽電池パネル取付装置の動作を示す断面図である。
【図１４】第二の実施形態の太陽電池パネル取付装置の取付操作を示す正面図である。
【図１５】第二の実施形態の太陽電池パネル取付装置の取付操作を示す正面図である。
【図１６】第二の実施形態の太陽電池パネル取付装置の取付操作を示す正面図である。
【図１７】第二の実施形態の太陽電池パネル取付装置の取付操作を示す正面図である。
【図１８】第二の実施形態の太陽電池パネル取付装置の取付操作を示す正面図である。
【図１９】第三の実施形態の太陽電池パネルケースを示す斜視図である。
【図２０】第三の実施形態のステーを示す正面図である。
【図２１】第三の実施形態の太陽電池パネル取付装置の取付操作を示す正面図である。
【図２２】第三の実施形態の太陽電池パネル取付装置の取付操作を示す正面図である。
【図２３】第三の実施形態の太陽電池パネル取付装置の取付操作を示す正面図である。
【図２４】第三の実施形態の太陽電池パネル取付装置の取付操作を示す正面図である。
【図２５】第四の実施形態の太陽電池パネル取付装置を示す正面図である。
【図２６】第四の実施形態のステーを示す側面図である。
【図２７】第四の実施形態のステーを示す断面図である。
【図２８】第四の実施形態のステーを示す断面図である。
【図２９】第五の実施形態の太陽電池パネル取付装置を示す正面図である。
【図３０】第五の実施形態の太陽電池パネル取付装置を示す断面図である。
【図３１】第六の実施形態の太陽電池パネル取付装置を示す側面図である。
【図３２】第七の実施形態の太陽電池パネル取付装置を示す側面図である。
【図３３】第八の実施形態の太陽電池パネル取付装置を示す正面図である。
【図３４】第八の実施形態の太陽電池パネル取付装置を示す側面図である。
【図３５】第八の実施形態の太陽電池パネル取付装置の動作を示す側面図である。
【図３６】第八の実施形態の押し上げ部材を示す正面図である。
【図３７】第八の実施形態の太陽電池パネル取付装置の動作を示す側面図である。
【図３８】第九の実施形態の太陽電池パネル取付装置を示す正面図である。
【図３９】第九の実施形態の太陽電池パネル取付装置を示す側面図である。
【図４０】第九の実施形態の太陽電池パネル取付装置の動作を示す側面図である。
【発明を実施するための形態】
【００１６】
（第一の実施形態）
以下、この発明を具体化した第一の実施形態を図１〜図７に従って説明する。図１に示す横型ブラインドは、支持部或いは枠体としてのヘッドボックス１から吊下支持されるラダーコード２に多数段のスラット（遮蔽材）３が支持され、そのラダーコード２の下端にボトムレール４が取着されている。
【００１７】
前記スラット３には前記ラダーコード２の支持位置近傍で昇降コード５が挿通され、その昇降コード５の下端に前記ボトムレール４が吊下支持されている。前記昇降コード５の上端部は、ヘッドボックス１内をその一端側に案内され、ヘッドボックス１の端部からストッパー装置６を経て垂下され、コードイコライザー７を介して操作コード８が接続されている。
【００１８】
そして、操作コード８を操作して昇降コード５をヘッドボックス１から引き出し、あるいは昇降コード５をヘッドボックス１内に引き込ませることにより、ボトムレール４及びスラット３を昇降可能となっている。ストッパー装置６は、ボトムレール４及びスラット３の自重降下を防止する。
【００１９】
図２に示すように、前記ヘッドボックス１の前面にはリモコン受信部９が取着され、図３に示すように、同ヘッドボックス１の背面側すなわち室外側には太陽電池パネル１０が取着されている。そして、リモコン受信部９及び太陽電池パネル１０が前記ヘッドボックス１内に配設される制御部（図示しない）にそれぞれ接続コードを介して接続されている。
【００２０】
前記リモコン受信部９は、リモコン操作部１１から操作信号として発信される赤外線信号を受信し、その操作信号を制御部に出力する。
前記太陽電池パネル１０は、太陽光の受光に基づいて発電動作を行い、その発電電力で制御部に配設された充電池を充電するようになっている。そして、制御部は充電池を電源とし、リモコン受信部９から出力される操作信号に基づいてヘッドボックス１内に配設されたモーターを制御して、前記スラット３を回動させるようになっている。
【００２１】
次に、前記太陽電池パネル１０を前記ヘッドボックス１に取付けるための取付装置を図４〜図７に従って説明する。
前記太陽電池パネル１０を支持するケース１２は、合成樹脂で形成されたベース部材１３とカバー部材１４とが嵌合されて構成され、太陽電池パネル１０はカバー部材１４の表面に露出されるように取着されている。
【００２２】
前記ケース１２は、前記ヘッドボックス１に掛止めされる板状のステー１５の下端部に吊下支持される。前記ステー１５は合成樹脂で形成される。図４に示すように、前記ステー１５の上端部には、前記ヘッドボックス１の側辺に掛止め可能とする一対のフック１６が形成されている。そして、ヘッドボックス１の側辺にフック１６を掛止めすると、ステー１５はヘッドボックス１に対し同ヘッドボックス１の長手方向に移動可能に支持される。
【００２３】
前記ステー１５の中間部は、ヘッドボックス１から遠ざかる方向にクランク状に屈曲され、ステー１５の下端部に前記ケース１２が吊下支持されている。具体的には、前記ステー１５の下端部の左右両側縁には円弧状の多数の窪み１７が上下方向に連続して形成されている。
【００２４】
前記ベース部材１３の内面には、図５に示すように、前記ステー１５の下端部の両側縁を保持するように一対の保持部１８が対向して形成され、その保持部１８間に前記ステー１５の下端部が挿通されている。
【００２５】
前記保持部１８には、前記ステー１５の窪み１７に係合する凸部１９が形成されている。そして、ベース部材１３は、保持部１８の凸部１９がステー１５の窪み１７に噛み合いながら、ステー１５の下端部に対し段階的に上下動可能に吊下支持されている。
【００２６】
前記ステー１５の左右幅方向中央部には、前記太陽電池パネル１０と前記制御部とを電気的に接続する接続コード２０を収容する収容溝２１がステー１５の上端部から下端部にかけて形成されている。前記収容溝２１は、２本の接続コード２０を収容可能とした溝幅で形成され、複数個所に収容溝２１の開口幅を狭くして接続コード２０を収容溝２１内に保持する保持部２２が形成されている。
【００２７】
また、前記ステー１５の下端から前記太陽電池パネル１０までの間の接続コード２０は、ベース部材１３の上下動を妨げない長さが確保され、ベース部材１３を最も上方へ移動させたときには、ケース１２内で弛んだ状態となる。
【００２８】
図４に示すように、前記ステー１５の上端部にはビスを挿通可能とした取付孔２３が形成されている。そして、取付孔２３を使用してステー１５をビスで窓枠（枠体）や壁面等の支持部に取着可能となっている。
【００２９】
上記のように構成された横型ブラインドでは、リモコン操作部１１の操作により、ヘッドボックス１内のモーターを作動させて、スラット３を角度調節操作可能である。
モーター及び制御部は、太陽電池パネル１０で充電される充電池を電源として動作する。そして、太陽電池パネル１０は図２及び図３に示すように、ヘッドボックス１の背面側において、窓面に向かって取着される。
【００３０】
また、太陽電池パネル１０のケース１２は、図６に示す位置から図７に示す位置までの範囲、すなわちステー１５に窪み１７が形成されている範囲で上下方向に位置調節可能である。
【００３１】
上記のように構成された横型ブラインドでは、次に示す作用効果を得ることができる。
（１）リモコン操作部１１の操作により、スラット３の角度を調節することができる。
（２）スラット３を角度調節するモーター及び制御部を、太陽電池パネル１０で充電される充電池を電源として動作させることができる。
（３）太陽電池パネル１０をヘッドボックス１からステー１５を介してヘッドボックス１の背面側、すなわち窓面に対向する位置に取着することができる。
（４）太陽電池パネル１０のケース１２の取り付け位置を、上下方向に容易に調節することができる。また、ステー１５をヘッドボックス１の長手方向にスライドさせて位置調節可能である。従って、太陽電池パネル１０の位置を太陽光の受光し易い位置に容易に調節することができる。
（５）ケース１２の凸部１９とステー１５の窪み１７により、ステー１５に対しケース１２を上下方向に段階的に位置調節することができる。
（６）ステー１５に設けた収容溝２１により、接続コード２０を保持して美観を向上させることができる。また、ケース１２を上下動させても、ステー１５からの接続コード２０の離間を防止することができる。
（７）ステー１５の取付孔２３に挿通したビスで、ステー１５をヘッドボックス１以外の窓枠や壁面等に取着することができる。従って、ヘッドボックス１から離れた位置で、太陽光を受光し易い位置に太陽電池パネル１０を設置することもできる。
（８）太陽電池パネル１０を上方に向けた状態で、ステー１５をビスで壁面等の垂直面に取着すると、ケース１２を水平方向に位置調節可能とすることができる。
（第二の実施形態）
図８〜図１８は、太陽電池パネルの取付装置の第二の実施形態を示す。前記第一の実施形態と同一若しくは類似する構成部分は同一符号を付して説明する。
【００３２】
この実施形態のステー３１は、フック１６の先端部から下方に延びる一対のアーム３２の下端部に、中空の長四角箱状の保持部３３が前後方向に回動可能に支持されている。そして、図１２に示すように、前記保持部３３の前面中央には上下方向に延びる長孔３４が形成されている。
【００３３】
図１１に示すように、太陽電池パネル１０のベース部材１３の後面には、前記長孔３４内に挿入可能とした長板状の支持部材３５が支軸３６で所定間隔を隔てて形成されている。前記支持部材３５の長さは、前記保持部３３の左右方向の内寸より長く形成されている。
【００３４】
また、図１０及び図１１に示すように、ベース部材１３及びカバー部材１４の上面にはコネクタ孔３７が形成され、図８及び図９に示すように、接続コード２０の端部に取着されたコネクタ３８を嵌着可能となっている。そして、太陽電池パネル１０が接続コード２０を介して充電池及び制御部に接続されている。
【００３５】
前記カバー部材１４の下端部には、前方に延びる取付片３９が形成され、その取付片３９の中央部にはビス孔４０が形成されている。
図９に示すように、前記フック１６の基端部には、ヘッドボックス１の側辺内面に係合する係止片４５と、側辺外面に当接する挟持片４６とが形成され、その係止片４５と挟持片４６とでヘッドボックス１の側辺を挟持するようになっている。
【００３６】
このような構成により、ステー３１はヘッドボックス１の長手方向にスライド可能に支持される。従って、太陽電池パネル１０の設置位置を、ヘッドボックス１の長手方向に位置調節可能である。
【００３７】
このように構成された太陽電池パネル取付装置では、図１４に示すように、太陽電池パネル１０のベース部材１３を斜めに傾けて支持部材３５を長孔３４から保持部３３内に挿入し、図１５に示すようにベース部材１３を垂直方向に回動すると、図１６に示すように、前記支持部材３５の両端角部が保持部３３の内側面に当接して保持される。
【００３８】
従って、支持部材３５の両端角部が当接する位置を保持部３３内で上下方向に位置調節すると、太陽電池パネル１０の支持位置を上下方向に位置調節可能となる。
また、例えば図１３に示すように、保持部３３を回動して太陽電池パネル１０を斜め下方に向けると、太陽電池パネル１０で下方からの反射光を有効に受光可能となる。太陽光電池パネル１０を斜め上方に向けることも可能である。
【００３９】
また、図１７に示すように、太陽電池パネル１０をヘッドボックス１に取着した状態から、ベース部材１３を保持部３３から取り外し、カバー部材１４のビス孔４０に挿通したビスを窓枠等に螺入すると、図１８に示すように、太陽電池パネル１０を窓の縦枠等に取着可能である。
【００４０】
上記のように構成された太陽電池パネル取付装置では、次に示す作用効果を得ることができる。
（１）太陽電池パネル１０の取り付け位置を上下方向に調節可能である。
（２）太陽電池パネル１０の取り付け角度を調節して、パネル面の角度を上下方向に調節可能である。
（３）ヘッドボックス１を設置位置から取り外すことなく、太陽電池パネル１０をヘッドボックス１の長手方向に位置調節可能である。
（４）ヘッドボックス１を設置位置から取り外すことなく、太陽電池パネル１０をステー１５から取り外して、任意位置に取り付けることができる。従って、ヘッドボックス１から離れた位置で、太陽光を受光し易い位置に太陽電池パネル１０を設置することもできる。
（第三の実施形態）
図１９〜図２４は、太陽電池パネルの取付装置の第三の実施形態を示す。図１９に示すように、太陽電池パネル１０のベース部材１３の後面には水平方向に延びる長板状の支持部材４１が支軸４２で所定間隔を隔てて形成されている。また、前記支持部材４１の先端面にはマグネットシート４３が取着されている。太陽電池パネル１０のベース部材１３及びカバー部材１４の上記以外の構成は、前記第二の実施形態と同様である。
【００４１】
図２０及び図２３に示すように、保持部３３の背面側内側面の左右両側には前記マグネットシート４３を吸着可能としたマグネットシート４４が取着されている。保持部３３のその他の構成は前記第一の実施形態と同様である。
【００４２】
そして、図２１に示すように、ベース部材１３を９０度回動して支持部材４１を保持部３３内に挿入し、図２２に示すように、ベース部材１３を垂直方向に回動してマグネットシート４３，４４を接着させると、図２３及び図２４に示すように、ベース部材１３が保持部３３に保持される。
【００４３】
また、支持部材４１をマグネットシート４４から引き離し、上下方向に位置調節して再度マグネットシート４４に接着すれば、太陽電池パネル１０の取付位置を上下方向に調節可能である。
【００４４】
この実施形態の太陽電池パネル取付装置は、第二の実施形態と同様な作用効果を得ることができるとともに、保持部３３の長孔３４の全長に亘ってベース部材１３を移動させることができるので、第二の実施形態に比して、同一の大きさの保持部３３において太陽電池パネル１０の高さ位置の調整範囲を拡大することができる。
（第四の実施形態）
図２５〜図２８は、太陽電池パネルの取付装置の第四の実施形態を示す。図２５及び図２６に示すように、保持部３３の上端部はヘッドボックス１に取着されたステー５１に回動可能に支持されている。
【００４５】
ステー５１は、ヘッドボックス１に固定される円筒状のケース５２と、そのケース５２の開口部に嵌合可能としたカバー５３とで構成される。そして、保持部３３の上端に形成された軸部５４がケース５２内に挿入され、そのケース５２にカバーが嵌着されて、軸部５４がケース５２に回転可能に支持されている。
【００４６】
また、図２８に示すように、軸部５４の外周面とケース５２の内周面には互いに係合する凹凸５５ａ，５５ｂが形成されて、軸部５４がケース５２内で段階的に回動するようになっている。
【００４７】
保持部３３には、太陽電池パネル１０のベース部材１３が前記第一の実施形態若しくは第二の実施形態と同様な構成で取着される。
このような構成により、ステー５１を回動中心として、太陽電池パネル１０を窓面に沿う方向に回動して保持することができるので、太陽光を受光し易い位置に太陽電池パネル１０を設置することができる。
（第五の実施形態）
図２９及び図３０は、第五の実施形態を示す。この実施形態は、太陽電池パネル１０のベース部材１３から上方に延びる軸部の先端に、ほぼ球状の嵌合突部６１が形成され、ヘッドボックスに取着可能としたステー６２には嵌合突部６１を嵌合して回動可能に保持する嵌合凹部６３が形成されている。そして、嵌合突部６１を嵌合凹部６３に嵌合すると、太陽電池パネル１０がステー６２に任意方向に回動可能に支持され、かつ任意の回動位置で保持される。
【００４８】
ステー６２には、ヘッドボックス１の側辺内面に係合する係止片６４と、側辺外面に当接する挟持片６５とが形成され、その係止片６４と挟持片６５とでヘッドボックス１の側辺を挟持するようになっている。
【００４９】
そして、嵌合凹部６３はステー６２から吊下軸６６を介してヘッドボックス１の前面から前方に所定間隔を隔てて位置するようになっている。
このような構成により、ステー６２の嵌合突部６１を回動中心として、太陽電池パネル１０を任意の方向に回動して保持することができる。従って、太陽電池パネル１０のパネル面を、窓面が向かう方角以外の方角に向けることもできるので、太陽光を受光し易い角度で太陽電池パネル１０を設置することができる。
【００５０】
また、ステー３１はヘッドボックス１の長手方向にスライドさせることにより、太陽電池パネル１０の設置位置を、ヘッドボックス１の長手方向に位置調節可能である。
（第六の実施形態）
図３１は、第六の実施形態を示す。この実施形態は、横型ブラインドのヘッドボックス７１から太陽電池パネル１０を昇降可能に吊下支持したものである。
【００５１】
横型ブラインドの背面側には、ヘッドボックス７１から吊下げコード７２を介して太陽電池パネル１０が吊下支持され、その吊下げコード７２はヘッドボックス７１内に設けられた滑車７３及びストッパー装置７４を経て、横型ブラインドの前方に垂下されている。ストッパー装置７４は、太陽電池パネル１０の自重降下を防止する機能を備えている。
【００５２】
また、前記太陽電池パネル１０は螺旋状に伸縮する接続コード７５を介して制御部あるいは充電池に接続される。
このような構成により、吊下げコード７２を操作して太陽電池パネル１０の吊下げ位置を上下方向に位置調節可能であるとともに、ヘッドボックス７１の下面近傍まで引き上げることができる。従って、太陽光を受光し易い位置に太陽電池パネル１０を設置することができる。
【００５３】
また、横型ブラインドのスラット７６を引き上げたとき、太陽電池パネル１０もヘッドボックス７１の下面近傍までの範囲で引き上げて、引き上げられたスラット７６の背面側に位置させれば、窓面での太陽電池パネル１０の露出を防止して、美観を向上させることができる。
（第七の実施形態）
図３２は、第七の実施形態を示す。この実施形態は、滑車７３及びストッパー装置７４をヘッドボックス８１の背面側に配設したステー８２に取着し、太陽電池パネル１０を昇降操作する吊下げコード７２を横型ブラインドの背面側に垂下したものである。
【００５４】
このような構成により、第六の実施形態と同様な作用効果を得ることができる。また、吊下げコード７２がスラット７６の背面側に垂下したので、スラット７６を下降させた状態では吊下げコード７２の室内側への露出を抑制して美観を向上させることができる。
【００５５】
ステー８２は、第二の実施の形態と同様な構成により、ヘッドボックス８１の長手方向にスライド可能である。従って、第六の実施形態で得られた作用効果に加えて、太陽電池パネル１０の設置位置をヘッドボックス８２の長手方向に移動可能とすることができるという作用効果を得ることができる。
（第八の実施形態）
図３３〜図３７は、第八の実施形態を示す。この実施形態は、ロールブラインドのスクリーン８３の背面側に太陽電池パネル１０を昇降可能に吊下支持したものである。
【００５６】
図３３及び図３４に示すように、このロールブラインドの側面視においてスクリーン８３の巻取りパイプ８４の斜め上方には、太陽電池パネル１０を吊下支持する吊下コード８５を巻取り可能とした巻取りパイプ８６が支持ブラケット８７間に回転可能に支持されている。
【００５７】
前記巻取りパイプ８６内にはスプリングモーター８８が配設され、そのスプリングモーター８８は巻取りパイプ８６に吊下コード８５の巻取り方向の回転力を付与している。太陽電池パネル１０の重量は、スプリングモーター８８の付勢力に打ち勝って太陽電池パネル１０を下限まで下降させる重量が確保されている。
【００５８】
そして、前記吊下コード８５の長さは、例えば太陽電池パネル１０がスクリーン８３の昇降範囲の上下方向中間位置まで下降可能となるように設定されている。また、太陽電池パネル１０は螺旋状に伸縮する接続コード７５を介して制御部あるいは充電池に接続される。
【００５９】
スクリーンの下端に取着されるウェイトバー８９の背面には前記太陽電池パネル１０を下方から押し上げ可能とする押し上げ部材９０が取着されている。この押し上げ部材９０の両側部には、図３６に示すように、太陽電池パネル１０の両側部を支持する支持片９１が形成され、太陽電池パネル１０の受光面を覆わない状態で押し上げ可能となっている。
【００６０】
上記のような太陽電池パネル取付装置では、図３４に示すように、スクリーン８３を下限近傍まで下降させた状態では、太陽電池パネル１０は下限位置すなわちスクリーン８３の上下方向中間位置まで下降した状態となる。
【００６１】
この状態からスクリーン８３を引き上げて、図３５に示すように、押し上げ部材９０が太陽電池パネル１０に当接すると、スプリングモーター８８による回転トルクで巻取りパイプ８６が吊下コード８５の巻取り方向に回転可能となる。
【００６２】
そして、ウェイトバー８９の上昇にともなって吊下コード８５が巻取りパイプ８６に巻き取られ、太陽電池パネル１０がウェイトバー８９とともに図３７に示す上限位置まで上昇する。
【００６３】
また、スクリーン８３が巻取りパイプ８４から巻戻されてウェイトバー８９が下降すると、太陽電池パネル１０は図３５に示す位置までウェイトバー８９とともに下降し、その後はウェイトバー８９のみが下降する。
【００６４】
このような構成により、吊下コード８５の長さを調節することにより、太陽電池パネル１０の吊下げ位置を上下方向に位置調節可能である。従って、太陽光を受光し易い位置に太陽電池パネル１０を設置することができる。
【００６５】
また、スクリーン８３を引き上げたとき、ウェイトバー８９とともに太陽電池パネル１０も自動的に引き上げることができるので、窓面での太陽電池パネル１０の露出を防止して、美観を向上させることができる。
（第九の実施形態）
図３８〜図４０は、第九の実施形態を示す。この実施形態は、第八の実施形態の太陽電池パネル１０をスクリーン８３の昇降動作に連動させて昇降するようにしたものである。
【００６６】
図３８及び図３９に示すように、巻取りパイプ８４の回転は伝達ギヤ９２を介して巻取りパイプ８６に伝達される。巻取りパイプ８６から吊下コード８５を介して太陽電池パネル１０が吊下支持され、吊下げコード８５の長さは、ウェイトバー８９が下限まで下降されたとき、太陽電池パネル１０がウェイトバー８９の後方に位置するように設定されている。
【００６７】
そして、巻取りパイプ８４が回転されてスクリーン８３が引き上げらるとき、吊下コード８５が巻取りパイプ８６に巻き取られて、太陽電池パネル１０が引き上げられるようになっている。
【００６８】
また、巻取りパイプ８４，８６は同一径で形成され、スクリーン８３の昇降量と太陽電池パネル１０の昇降量が等しくなるように設定されている。
太陽電池パネル１０は、ウェイトバー８９の全長より僅かに短い長さで形成され、巻取りパイプ８６から複数本の吊下コード８５で吊下支持されている。
【００６９】
上記のような太陽電池パネル取付装置では、スクリーン８３を下限まで下降させると、太陽電池パネル１０がウェイトバー８９の後方位置まで下降している。そして、スクリーンを引き上げると、太陽電池パネル１０も引き上げられて、ウェイトバー８９とともに図４０に示す上限位置まで引き上げられる。
【００７０】
また、スクリーン８３を下降させると、ウェイトバー８９とともに太陽電池パネル１０も図３９に示す下限位置まで下降する。
このような構成により、太陽電池パネル１０の吊下げ位置を上下方向に位置調節可能である。また、スクリーン８３を引き上げたとき、ウェイトバー８９とともに太陽電池パネル１０も自動的に引き上げることができるので、窓面での太陽電池パネル１０の露出を防止して、美観を向上させることができる。
【００７１】
上記実施形態は、以下の態様で実施してもよい。
・太陽光パネルを垂直方向に支持しながら、太陽光パネルのケースをステーに対し左右方向に位置調節可能としてもよい。
・第一の実施形態では、ステー１５でケース１２を縦長方向に支持したが、ケース１２を横長方向に支持してもよい。
・第三の実施形態において、マグネットシートに代えて面ファスナーを使用してもよい。
・第九の実施形態において、吊下コード８５の長さをスクリーン８３の吊下げ位置より下方となる長さとしてもよい。スクリーン８３より下方で太陽光の照射量が多く場合に有効である。
・第九の実施形態において、太陽電池パネル１０は、ウェイトバー８９の全長より長くしてもよい。また、ウェイトバー８９より短い太陽電池パネル１０を複数本吊下支持してもよい。
・第九の実施形態において、巻取りパイプ８６の回転速度を巻取りパイプ８４の半分として、太陽電池パネル１０をスクリーン８３の上下方向中間位置に位置させるようにしてもよい。
【符号の説明】
【００７２】
１…ヘッドボックス、１０…太陽電池パネル、１２…ケース、１５，３１，５１，８２…ステー、１７…凹凸部（窪み）、１９…凹凸部（凸部）、２０…接続コード、２１…収容溝。
【図１】
0005618992.tif 000002
【図２】
0005618992.tif 000003
【図３】
0005618992.tif 000004
【図４】
0005618992.tif 000005
【図５】
0005618992.tif 000006
【図６】
0005618992.tif 000007
【図７】
0005618992.tif 000008
【図８】
0005618992.tif 000009
【図９】
0005618992.tif 000010
【図１０】
0005618992.tif 000011
【図１１】
0005618992.tif 000012
【図１２】
0005618992.tif 000013
【図１３】
0005618992.tif 000014
【図１４】
0005618992.tif 000015
【図１５】
0005618992.tif 000016
【図１６】
0005618992.tif 000017
【図１７】
0005618992.tif 000018
【図１８】
0005618992.tif 000019
【図１９】
0005618992.tif 000020
【図２０】
0005618992.tif 000021
【図２１】
0005618992.tif 000022
【図２２】
0005618992.tif 000023
【図２３】
0005618992.tif 000024
【図２４】
0005618992.tif 000025
【図２５】
0005618992.tif 000026
【図２６】
0005618992.tif 000027
【図２７】
0005618992.tif 000028
【図２８】
0005618992.tif 000029
【図２９】
0005618992.tif 000030
【図３０】
0005618992.tif 000031
【図３１】
0005618992.tif 000032
【図３２】
0005618992.tif 000033
【図３３】
0005618992.tif 000034
【図３４】
0005618992.tif 000035
【図３５】
0005618992.tif 000036
【図３６】
0005618992.tif 000037
【図３７】
0005618992.tif 000038
【図３８】
0005618992.tif 000039
【図３９】
0005618992.tif 000040
【図４０】
0005618992.tif 000041